(57)【要約】【課題】この発明はさまざまな種類のブレーキシューに対応でき、簡単にリベットを切断しながら摩擦部材を円筒板から剥がすことができるブレーキ摩擦部材剥離用切断刃およびブレーキ摩擦部材剥離装置を提供することを目的とする。【解決手段】課題を解決するために、この発明のブレーキ摩擦部材剥離用切断刃１は、円筒面に沿った曲げ板状の刃本体２と、刃本体２の先端部に形成された円弧状の刃先３と、刃先３と反対側の刃本体２の基部に設けられたプレス機械接続部材４とを有する。【選択図】図１
2016180461.tif 000002
【特許請求の範囲】
【請求項１】
円筒面に沿った曲げ板状の刃本体と、刃本体の先端部に形成された円弧状の刃先と、刃先と反対側の刃本体の基部に設けられたプレス機械接続部材とを有するブレーキ摩擦部材剥離用切断刃。
【請求項２】
プレス機械と、プレス機械の可動部に取り付けられる切断刃を有し、
切断刃は円筒面に沿った曲げ板状の刃本体と、刃本体の先端部に形成された円弧状の刃先と、刃先と反対側の刃本体の基部に設けられたプレス機械接続部材とを有し、
プレス機械はブレーキシュー設置部と、設置部に対して上下動する可動部と、可動部の両側に設けられた２本の柱状部材と、柱状部材の側面に設けられた切断刃案内レールとを有し、
プレス機械の可動部との接続位置は刃本体の断面の内側の円弧およびその弦で囲まれた空間内の上方にあり、
可動部の下降により刃先をブレーキシューとブレーキ摩擦部材の間に挿入してブレーキ摩擦部材をブレーキシューから剥離させるブレーキ摩擦部材剥離装置。
【発明の詳細な説明】
【技術分野】
【０００１】
この発明は、ブレーキシューの外周面に取り付けられているブレーキ摩擦部材を剥離させる切断刃および装置に関する。
【背景技術】
【０００２】
自動車などの車輪の内部にはブレーキドラムが設けられており、そのブレーキドラムの中には摩擦部材を有するブレーキシューが組み込まれている。ブレーキシューは円筒面に沿った曲げ板状の円筒板を有し、この円筒板の外周面にはライニングと呼ばれるブレーキ摩擦部材が取り付けられている。走行時には円筒板はブレーキドラムの中心側の位置にあるが、ブレーキをかけるときには、円筒板が外に向いて押し出され、摩擦部材をブレーキドラムの内壁に接触させて制動力を得る。
【０００３】
特許文献１〜３では、ブレーキ摩擦部材を接着剤によりブレーキシューに接着することが記載されている。そして、加熱することにより古いブレーキ摩擦部材をブレーキシューから取り外す。また、特許文献４には、ライニングをリベットで取り付けるディスクブレーキ用パッドが記載されており、ライニングが摩耗したときには、リベットを抜き取ってライニングを取り外す。
【先行技術文献】
【特許文献】
【０００４】
【特許文献１】特開２００６−３３６８０８号公開公報
【特許文献２】特開２００８−１９６５７６号公開公報
【特許文献３】特開２００２−８１４７８号公開公報
【特許文献４】実開平７−３２２４０号公開公報
【発明の概要】
【発明が解決しようとする課題】
【０００５】
特許文献１〜３に記載されているような接着剤によるブレーキシューと摩擦部材の接着は、接合力が弱く、通常の自動車や小型のトラックまでにしか適用できない。したがって、大型の車両のブレーキにおいては、リベットによる摩擦部材の取り付けが行われる。しかし、摩耗した摩擦部材を取り外すためには、特許文献４の００１５段落に示すように工具でリベットを一つずつ壊して抜いていくことになる。特許文献４の発明はディスクブレーキに関するものであるが、ドラムブレーキのブレーキシューでも同様である。このリベットを壊して抜き取る作業は手間がかかるものであり、時間とコストがかかる。
【０００６】
そこで、刃物によりリベットを切断して、摩擦部材を剥離させる作業も行われている。図６はブレーキシューを示す正面図、図７は同右側面図、図８は同Ｂ−Ｂ断面図である。ブレーキシュー２０は、円筒状の板材部２１の外表面に摩擦部材２３を取り付けるようになっている。また、円筒板２２の内周側には垂直板２２が設けられていて、この垂直板２２によりブレーキドラム内に取り付けられるようになっている。回転運動する可動部を有する作業台により剥離作業が行われるが、ブレーキシュー２０をその可動部に固定し、円筒板の曲線に沿った動きでブレーキシュー２０を回転させ、その進行方向において待ち受けている刃物に送り込み、刃先を円筒板と摩擦部材の間に進入させて、リベットを切断しながら摩擦部材を円筒板から剥がしていく。
【０００７】
そのためには、ブレーキシュー１０を可動部に強固に固定する必要がある。そこで、ブレーキシュー１０の形状に合った金型を用意し、その金型を介して可動部に固定する。しかし、ブレーキシューは車のメーカーや車種によってさまざまな種類があり、その形状が異なるので、それに固有の金型を用意しなければならない。しかも、ブレーキシューの種類は非常に多いため、全てのブレーキシューに対応するために多くの型を作ると、型代だけで相当な費用になる。さらに、この多くの型を常時保管し、ブレーキシューの種類ごとに選択して交換していくのも大きな負担である。
【０００８】
この発明はさまざまな種類のブレーキシューに対応でき、簡単にリベットを切断しながら摩擦部材を円筒板から剥がすことができるブレーキ摩擦部材剥離用切断刃およびブレーキ摩擦部材剥離装置を提供することを目的とする。
【課題を解決するための手段】
【０００９】
上記の課題を解決するために、この発明のブレーキ摩擦部材剥離用切断刃は、円筒面に沿った曲げ板状の刃本体と、刃本体の先端部に形成された円弧状の刃先と、刃先と反対側の刃本体の基部に設けられたプレス機械接続部材とを有する。
【００１０】
また、この発明のブレーキ摩擦部材剥離装置は、プレス機械と、プレス機械の可動部に取り付けられる切断刃を有し、切断刃は円筒面に沿った曲げ板状の刃本体と、刃本体の先端部に形成された円弧状の刃先と、刃先と反対側の刃本体の基部に設けられたプレス機械接続部材とを有し、プレス機械はブレーキシュー設置部と、設置部に対して上下動する可動部と、可動部の両側に設けられた２本の柱状部材と、柱状部材の側面に設けられた切断刃案内レールとを有し、プレス機械の可動部との接続位置は刃本体の断面の内側の円弧およびその弦で囲まれた空間内の上方にあり、可動部の下降により刃先をブレーキシューとブレーキ摩擦部材の間に挿入してブレーキ摩擦部材をブレーキシューから剥離させる。
【発明の効果】
【００１１】
この発明のブレーキ摩擦部材剥離用切断刃およびブレーキ摩擦部材剥離装置によれば、円筒面の曲線の曲率さえあっていれば他の部分の形状が異なるブレーキシューであっても同じ切断刃によりブレーキ摩擦部材をブレーキシューから剥離させることができる。取り扱いも簡単であり、短時間で多くのブレーキシューの再利用の作業を行うことができる。
【図面の簡単な説明】
【００１２】
【図１】ブレーキ摩擦部材剥離用切断刃を示す正面図である。
【図２】同平面図である。
【図３】同底面図である。
【図４】ブレーキ摩擦部材剥離装置を示す正面図である。
【図５】同Ａ−Ａ断面図である。
【図６】ブレーキシューを示す正面図である。
【図７】同右側面図である。
【図８】同Ｂ−Ｂ断面図である。
【図９】ブレーキ摩擦部材剥離用切断刃の変形例を示す背面図である。
【図１０】同Ｃ−Ｃ断面図である。
【発明を実施するための形態】
【００１３】
本発明を実施するための形態について、図面に基づいて詳細に説明する。ブレーキ摩擦部材剥離用切断刃を示す正面図、図２は同平面図、図３は同底面図である。ブレーキ摩擦部材剥離用切断刃１は刃本体２と、刃本体の先端部に形成された円弧状の刃先３と、刃先３と反対側の刃本体の基部に設けられたプレス機械接続部材４とを有する。
【００１４】
刃本体２は、円筒シェル状の部材である。その外周面および内周面は円筒面に沿った曲面になっている。そして、その下端部において外周面側から内周面側に向かってくさび状に細くなるように削られている。したがって、内面側の下端部が刃先３となっている。ここでは４５度の角度になっている。この刃先３は下から見ると円弧状になっている。そして、この円弧は処理対象であるブレーキシューの形状に対応している。
【００１５】
刃先３と反対側の基部、すなわち、刃本体２の基部の上端部にはプレス機械接続部材４が設けられている。ここでは、刃本体２の上端部をほぼ覆うような大きさの長方形状の金属板が溶接によって取付けられている。そして、この金属板にはボルトを取り付けるための穴５が設けられている。
【００１６】
次に、このブレーキ摩擦部材剥離用切断刃１を含むブレーキ摩擦部材剥離装置について説明する。図４はブレーキ摩擦部材剥離装置を示す正面図、図５は同Ａ−Ａ断面図である。ブレーキ摩擦部材剥離装置１０は、プレス機械１１と、プレス機械の可動部１３に取り付けられる切断刃１を有する。
【００１７】
プレス機械１１としては、通常の金属加工に使用するような汎用のものを使用することができる。このようなプレス機械１１は周知であり、本願発明に関係のある事項のみに絞って説明する。プレス機械１１はブレーキシュー設置部１２と、ブレーキシュー設置部１２に対して上下動する可動部１３と、可動部１３の両側に設けられた２本の柱状部材１４を有する。
【００１８】
ブレーキシュー設置部１２は処理対象となるブレーキシューを置く場所である。プレス機械１１の本体架台上にあり、プレス機械１１において処理対象物や下側の金型を取り付ける部位である。可動部１３はブレーキシュー設置部１２の上方にあり、油圧などの駆動手段によりブレーキシュー設置部１２に対して上下動する。
【００１９】
２本の柱状部材１４はブレーキシュー設置部１２の左右に設けられており、この間を可動部１３が上下動する。そして、この２本の柱状部材１４の内側側面には、それぞれ２本の棒状部材１５が平行に取り付けられていて、この２本の棒状部材１５の間隔はプレス機械接続部材４の金属板の奥行き（図２における高さ方向の長さ）に合わせられている。また、プレス機械接続部材４の金属板の幅は２本の柱状部材１４の間隔に合わせている。したがって、２本の棒状部材１５の間に形成される溝がプレス機械接続部材４の上下動を案内するレールとなる。
【００２０】
可動部１３は太い丸棒であり、この丸棒の下端にも金属板が取り付けられている。そして、この金属板にも２つの穴が設けられており、この２つの穴の位置はプレス機械接続部材４の穴の位置に合わせられている。
【００２１】
このブレーキ摩擦部材剥離装置１０を用いたブレーキ摩擦部材の剥離方法について説明する。まず、処理対象となるブレーキシューに合ったブレーキ摩擦部材剥離用切断刃を選択する。すわなち、ブレーキシュー２０の円筒板２２の外周面の曲率に合った刃先３のブレーキ摩擦部材剥離用切断刃を選択する。
【００２２】
ブレーキシューには多数の種類が存在するが、ブレーキ摩擦部材の取付面である外周面の曲率の種類はさほど多くない。ほとんどのブレーキシューにおいて曲率は４〜５種類のうちのいずれかである。したがって、４〜５種類の曲率の円弧の刃先のブレーキ摩擦部材剥離用切断刃を用意すれば、ほとんどの種類のブレーキシューに対応することができる。
【００２３】
ブレーキ摩擦部材剥離用切断刃１はプレス機械接続部材を備えているので、簡単にプレス機械１０に取り付けることができる。プレス機械接続部材４の穴５と可動部１３の下端の金属板の穴の位置を合わせ、ボルトにより固定すればよい。このとき、刃本体２の内周面が手前の方、すわなち作業者側を向くようにする。
【００２４】
ついで、ブレーキシュー２０をブレーキシュー設置部１２に設置する。ブレーキシュー２０は円弧の形状であるので、平らな作業台の上でも立てた状態で置くことができる。ブレーキシュー２０と摩擦部材の境界面を刃先の真下になるようにする。そして、可動部１３を下降させることにより、刃先がブレーキシュー２０と摩擦部材の間に進入し、さらにリベットを切断する。こうして、摩擦部材がブレーキシュー２０の外周面から引きはがされる。可動部１３を一回下降させるだけで、全てのリベットを切断し、一つのブレーキシュー２０を処理することができる。剥離した摩擦部材は後方に排出され、摩擦部材が取り除かれた状態のブレーキシュー２０が得られる。以下、この作業を繰り返すことにより、必要数のブレーキシュー２０を処理する。
【００２５】
可動部１３の丸棒の先端はブレーキシュー２０の円弧の内側の位置の上方にあるために、ブレーキシュー２０を真下の方向に押しつけるように加圧する。したがって、加圧中にブレーキシュー２０が倒れることはなく、可動部１３の力が効果的に刃先に加えられる。
【００２６】
さらに、本発明の変形例について説明する。図９はブレーキ摩擦部材剥離用切断刃の変形例を示す背面図、図１０は同Ｃ−Ｃ断面図である。本例においては、刃先は所定の間隔で高低差が付けらていて凹凸になっている。この凹部３ｂと凸部３ａの切りかわりの間隔は、処理対象であるブレーキシューのリベット２４の取付の間隔に対応している。底面方向より見たときには、刃先はやはり円弧状である。
【００２７】
刃本体２の外周側の側面には、刃先３に垂直な方向に帯状の突起部が形成されている。この突起部の下端部はくさび状になっており、尖った先端部が外周側の側面に接している。この先端部の傾斜は刃先３の傾斜と同じ方向である。
【００２８】
この変形例では、可動部を下降させたとき、まず刃先の凸部３ａがリベット２４に接する。凹部３ｂではまだリベット２４に達しない。したがって、凸部３ａの進行方向にあるリベットのみが切断される。プレス機械の荷重はまず凸部３ａに接しているリベットのみに集中的に加わる。そのため、比較的力の弱いプレス機械であっても無理なくリベットを切断することができる。さらに可動部が下がると、凹部３ｂがリベットに到達し、残ったリベット２４を切断する。
【００２９】
また、外周側面に設けられた帯状の凸部により、摩擦部材が効果的に引きはがされる。そして、スムーズにブレーキシューの表面から取り去られ、作業部から離れたところまで飛ばされる。
【符号の説明】
【００３０】
１．ブレーキ摩擦部材剥離用切断刃
２．刃本体
３．刃先
４．プレス機械接続部材
５．穴
１０．ブレーキ摩擦部材剥離装置
１１．プレス機械
１２．ブレーキシュー設置部
１３．可動部
１４．柱状部材
１５．棒状部材（切断刃案内レール）
２０．ブレーキシュー
２１．円筒板
２２．摩擦部材
２３．垂直板
２４．リベット
【図１】
2016180461.tif 000003
【図２】
2016180461.tif 000004
【図３】
2016180461.tif 000005
【図４】
2016180461.tif 000006
【図５】
2016180461.tif 000007
【図６】
2016180461.tif 000008
【図７】
2016180461.tif 000009
【図８】
2016180461.tif 000010
【図９】
2016180461.tif 000011
【図１０】
2016180461.tif 000012